(57)【特許請求の範囲】
【請求項１】
航法衛星からの衛星信号を捕捉するための衛星信号受信機において、
安定追尾が行われ周波数変化が所定値以下の場合に、当該衛星の周波数変化を演算する周波数変化演算器と、
安定追尾が行われている場合に、前記周波数変化演算器による周波数変化だけ前回周波数を更新した周波数と、現在の追尾周波数との差分をフィルタリングすることで、現在周波数を推定する周波数推定演算器と、
信号が中断された場合に、前記周波数変化演算器および前記周波数推定演算器の演算結果に基づいて、中断中の周波数を予測する周波数予測演算器と、
複数の周波数候補を発生可能な周波数変換装置と、
複数のコード位相候補を発生可能な衛星信号発生器と、
前記周波数変換装置による周波数信号と前記衛星信号発生器によるコード位相との相関を、相関時間を長くして高感度に行う相関器と、
前記周波数変換装置で複数の周波数を発生させるか、前記衛星信号発生器で複数のコード位相を発生させるかを選択する選択手段と、
前記選択手段で複数のコード位相を発生させることが選択された場合には、前記周波数予測演算器による周波数を前記周波数変換装置への基準周波数とし、前記選択手段で複数の周波数を発生させることが選択された場合には、追尾周波数を前記周波数変換装置への基準周波数とする周波数発生器と、
を有する高感度サーチ追尾部を、複数チャンネル分備えることを特徴とする衛星信号受信機。
【発明の詳細な説明】
【技術分野】
【０００１】
この発明は、例えば、携帯電話機等の移動端末に内蔵され、あるいは自動車等の移動体に設置されて用いられ、ＧＰＳ（Ｇｌｏｂａｌ  Ｐｏｓｉｔｉｏｎｉｎｇ  Ｓｙｓｔｅｍ）等の航法衛星からの衛星信号を捕捉するための衛星信号受信機に関し、特に、信号レベルが極めて弱い衛星信号を効果的に再捕捉することが可能な衛星信号受信機に関する。
【背景技術】
【０００２】
近年、カーナビゲーション等のＧＰＳを利用した装置が広く用いられてきている。ＧＰＳ衛星からの衛星信号は、所定の周波数の搬送波がＢＰＳＫ（二位相偏移変調：Ｂｉｎａｒｙ  Ｐｈａｓｅ−Ｓｈｉｆｔ  Ｋｅｙｉｎｇ）に変調され、さらに、衛星毎に定められたスペクトラム拡散符号によりスペクトラム拡散された信号上に、送信時刻や詳細軌道情報等を示すデータを含んでいる。このような信号を追尾するには、搬送波と同じ周波数にて、スペクトラム拡散された信号と同じコード位相にする必要がある。
【０００３】
すなわち、図４に示すように、衛星信号受信機は、各衛星の周波数に同期するための回路と、コード位相誤差を検出しコード位相に同期するための回路とを含む基本追尾部を、追尾可能なチャンネル数分だけ保有している。ここで、図中、符号１０１、１０２−1〜１０２−３は、２信号の乗算器である。また、図中の衛星信号を得るには、衛星信号受信アンテナおよびＯＣＸＯ（恒温槽付水晶発振器：Ｏｖｅｎ  Ｃｏｎｔｒｏｌｌｅｄ  Ｘｔａｌ  Ｏｓｃｉｌｌａｔｏｒ）を含むＲＦコンバータなどが必要であるが、図示を省略している。同様に、周波数同期などを行うには、９０度位相が異なる２つのローカル信号との相関がすべての相関演算で必要であるが、図示を省略している。
【０００４】
また、衛星信号受信機においてコード位相誤差に関しては、図４に示すように、Ｅ−Ｌ相関値を用いたＤＬＬ（コード追尾制御ループ：Ｄｅｌａｙ  Ｌｏｃｋ  Ｌｏｏｐ）制御にて、コード同期が行われる。すなわち、追尾点であるＰ（Ｐｕｎｃｔｕａｌ）位相より位相の進んでいるＥ（Ｅａｒｌｙ）信号と、Ｐ位相より位相が遅れているＬ（Ｌａｔｅ）信号との差を示すＥ−Ｌがゼロとなるように制御する。しかしながら、追尾時以外では、Ｅ−Ｌ相関値は利用されず無意味であるため、再サーチ時には、追尾回路のみでも信号サーチが可能なように、スイッチ１０３を切り替えることで、Ｐ相関値、Ｌ相関値が出力できるようになっている。なお、Ｅ相関値を出力しないのは、受信機内部のハードウエアの小型化のためであり、サーチ専用部が別途存在するためである。
【０００５】
上記のような基本追尾部のみでは、信号レベルが極めて弱い衛星信号を正しく追尾することができない。このため、基本追尾部で追尾している周波数近傍の周波数に関しても相関を行い、現在の追尾周波数を補正する技術が知られている（例えば、特許文献１参照。）。この技術は、図５に示すような高感度周波数誤差測定部を各チャンネル数分だけ保有している。この高感度周波数誤差測定部は、コード位相については、基本追尾部と同じＰ信号のみであるが、周波数については、周波数変換装置および相関器１１１−１〜１１１−ｋにより、ｋ候補分の周波数に対して同時に相関を行い、周波数ずれの検出を可能にしている。しかしながら、この測定部は、サーチ時には全く使用されず、サーチにおいては効率的とはなっていない。
【０００６】
ここで、図中、符号１１２−1〜１１２−ｋは、２信号の乗算器であり、「Ｍ回ＮＣ加算器」は、Ｍ回のノンコヒーレント加算器を意味する。また、周波数ずれを正しく検出するために、ＧＰＳ衛星の場合には、エッジ反転がない２０ｍｓの間コヒーレント加算し、さらにＭ回のノンコヒーレント加算した後の相関値を比較している。
【０００７】
また、最近では、最小限のハードウエアで高感度かつ高速に信号を捕捉するために、図６に示すような高感度サーチ部を１チャンネル分だけ保有し、時分割で複数の衛星をサーチすることが行われている。この高感度サーチ部は、例えばＧＰＳの場合、衛星信号候補数ｒ＝１０２３×２であり、全コード位相候補が同時に相関でき、サーチ候補選別器において、演算結果をパワー順に並べて、最も高いパワーから複数個の候補を選別・抽出する。また、周波数の引き込みも早くするために、周波数スキャンも同時に行えるように、ＦＦＴ相関演算も行い、再サーチのように予測周波数誤差が１ｋＨｚ未満であれば、周波数範囲の全域を同時に相関できるようになっている。ここで、図中、符号１２１、１２２−1〜１１２−ｒは、２信号の乗算器であり、符号Ｃ１〜Ｃｒは、衛星信号発生器からのコード信号（サーチ用）である。
【０００８】
このような高感度サーチ部を利用した場合、信号レベルが十分強い場合には、個々の衛星のサーチ時間が短いため、複数のチャンネルを時分割で行っても、時間的な問題が生じない。また、この高感度サーチ部において、候補数ｒを数十程度に少なくし、さらに、Ｎｍｓ相関演算器の相関結果のみを用いることで、再サーチを高速化する技術が知られている（例えば、特許文献２参照。）。
【先行技術文献】
【特許文献】
【０００９】
【特許文献１】特開２００８−１１１６８４号公報
【特許文献２】特開２０００−２５２８６４号公報
【発明の概要】
【発明が解決しようとする課題】
【００１０】
ところで、１チャンネル分だけの高感度サーチ部を利用した再サーチでは、信号レベルが極めて弱い衛星が多い場合、個々の衛星のサーチ時間が数秒以上と長くなり、複数の衛星をサーチすると、サーチ時間が数十秒と長くなる、という問題が生じる。そこで、基本追尾部の再サーチ用のＰ相関値およびＬ相関値を用いて並行サーチすることも行われているが、中断時間が長くなった場合、コード位相のサーチ範囲が広くなり、１つのＰ相関値、Ｌ相関値では、サーチすることができない。このため、時分割によってサーチ範囲を広げることも行われるが、時間的に同時ではないため、誤捕捉・誤サーチする場合もあり、さらに、サーチ時間も長くなる。
【００１１】
また、上記特許文献２の技術では、信号積算（コヒーレント加算）のみで高感度化されていないため、信号レベルが極めて弱い衛星信号を再捕捉することはできないが、上記図５に示すように、相関部分を変更することで、高感度化は可能である。しかしながら、高感度化させた場合であっても、信号中断時の周波数を予測しないため、瞬断のように周波数が殆ど変わらない場合にしか、有効でない、という問題が残る。
【００１２】
そこでこの発明は、信号レベルが極めて弱い衛星信号を効果的・効率的に再捕捉することが可能な衛星信号受信機を提供することを目的とする。
【課題を解決するための手段】
【００１３】
上記目的を達成するために、この発明は、航法衛星からの衛星信号を捕捉するための衛星信号受信機において、
安定追尾が行われ周波数変化が所定値以下の場合に、当該衛星の周波数変化を演算する周波数変化演算器と、
安定追尾が行われている場合に、前記周波数変化演算器による周波数変化だけ前回周波数を更新した周波数と、現在の追尾周波数との差分をフィルタリングすることで、現在周波数を推定する周波数推定演算器と、
信号が中断された場合に、前記周波数変化演算器および前記周波数推定演算器の演算結果に基づいて、中断中の周波数を予測する周波数予測演算器と、
複数の周波数候補を発生可能な周波数変換装置と、
複数のコード位相候補を発生可能な衛星信号発生器と、
前記周波数変換装置による周波数信号と前記衛星信号発生器によるコード位相との相関を、相関時間を長くして高感度に行う相関器と、
前記周波数変換装置で複数の周波数を発生させるか、前記衛星信号発生器で複数のコード位相を発生させるかを選択する選択手段と、
前記選択手段で複数のコード位相を発生させることが選択された場合には、前記周波数予測演算器による周波数を前記周波数変換装置への基準周波数とし、前記選択手段で複数の周波数を発生させることが選択された場合には、追尾周波数を前記周波数変換装置への基準周波数とする周波数発生器と、
を有する高感度サーチ追尾部を、複数チャンネル分備えることを特徴とする。
【００１４】
この発明によれば、各チャンネル（衛星）において、安定追尾が行われ周波数変化が所定値以下の場合には、周波数変化演算器によって当該衛星の周波数変化が演算されるとともに、周波数推定演算器によって周波数変化と現在の追尾周波数とに基づく現在周波数が推定される。そして、追尾中には、周波数変換装置で複数の周波数を発生させることが、選択手段によって選択され、周波数発生器によって追尾周波数が周波数変換装置への基準周波数とされ、この基準周波数に基づいて周波数変換装置から複数の周波数候補が発生される。一方、信号が中断されると、周波数変化演算器と周波数推定演算器の演算結果に基づいて周波数予測演算器によって中断時の周波数が予測されるとともに、衛星信号発生器で複数のコード位相を発生させることが、選択手段によって選択される。そして、周波数発生器によって周波数予測演算器による周波数が周波数変換装置への基準周波数とされ、この基準周波数が周波数変換装置から出力される。続いて、周波数変換装置による周波数信号と衛星信号発生器によるコード位相との相関が、相関器によって行われる。
【発明の効果】
【００１５】
このような発明によれば、信号が中断された再サーチ時には、周波数変化と現在周波数とに基づいて予測された、最も可能性が高い予測周波数に基づいて、追尾回路で複数のコード位相を同時に並行サーチするため、信号レベルが極めて弱い衛星信号の再補足を、極めて効果的に行うことが可能となる。しかも、このような高感度サーチ追尾部を複数チャンネル備えるため、複数の衛星に対して短時間に再補足を行うことが可能となる。また、従来は追尾時のみにしか使われなかった高感度周波数誤差測定部の一部を拡張するのみで、高感度サーチ追尾部を構築することができるため、ハードウエアの増加を最小限に抑えながら、サーチ時にも高感度周波数誤差測定部を有効的に活用することができる。
【図面の簡単な説明】
【００１６】
【図１】この発明の実施の形態に係る衛星信号受信機を示す構成ブロック図である。
【図２】この発明の実施の形態における周波数予測の概念を説明するための図である。
【図３】図１の衛星信号受信機の周波数推定演算器で周波数変化を考慮しない場合（ａ）と考慮した場合（ｂ）の現在周波数の推定結果を示す図である。
【図４】従来の基本追尾部を示す構成ブロック図である。
【図５】従来の高感度周波数誤差測定部を示す構成ブロック図である。
【図６】従来の高感度サーチ部を示す構成ブロック図である。
【発明を実施するための形態】
【００１７】
以下、この発明を図示の実施の形態に基づいて説明する。
【００１８】
図１は、この発明の実施の形態に係る衛星信号受信機を示す構成ブロック図である。この衛星信号受信機は、航法衛星からの衛星信号を捕捉するための受信機であり、従来の基本追尾部（図４）および高感度サーチ部（図６）のほかに、高感度サーチ追尾部１を複数チャンネル分、すなわち全衛星数分（全追尾チャンネル分）備えている。ここで、図中の衛星信号を得るには、衛星信号受信アンテナおよびＯＣＸＯを含むＲＦコンバータなどが必要であるが、図示を省略している。同様に、周波数同期などを行うには、９０度位相が異なる２つのローカル信号との相関が、すべての相関演算で必要であるが、図示を省略している。
【００１９】
各高感度サーチ追尾部１は、主として、周波数変化推定演算器（周波数変化演算器）２１と、周波数推定演算器２２と、周波数予測演算器２３と、周波数変換装置３１と、周波数発生器３２と、衛星信号発生器４と、２０ｍｓ相関演算器（相関器）５１と、Ｍ回ＮＣ加算器（相関器）５２と、ＣＰＵ（判断、選択手段）６とを備えている。
【００２０】
ＣＰＵ６は、例えば、追尾中の衛星の信号レベル観測値が所定閾値以上であれば動作モードを追尾モードに設定し、閾値未満であれば動作モードを再サーチモードに設定する。そして、そのモードに基づいて、相関結果（Ｍ回ＮＣ加算器出力５２−１〜５２−ｋ）を処理して、追尾または再サーチを行う。その処理については、従来と同等なため、説明を省略する。
【００２１】
周波数変化推定演算器２１は、動作モードが追尾モードの時（安定追尾が行われ周波数変化が所定値以下の場合）に、当該衛星の周波数変化を演算する演算器である。すなわち、図２に加減速区間として示したように追尾周波数の変化が大きい場合を除いて、ほぼ一定速度とみなせる状態において、周波数変化を観測し、それをＬＰＦ（Ｌｏｗ  Ｐａｓｓ  Ｆｉｌｔｅｒ）して周波数変化を演算・推定する。具体的には、単位時間（例えば、1秒）あたりの周波数変化量Ｆｒ０を演算する。
【００２２】
周波数推定演算器２２は、動作モードが追尾モードの時（安定追尾が行われている場合）に、周波数変化推定演算器２１で演算された周波数変化だけ前回周波数を更新した周波数と、現在の追尾周波数との差分をＬＰＦ演算（フィルタリング）することで、現在周波数を推定する演算器である。具体的には、まず、次式によって現在周波数予測値を演算する。
【００２３】
現在周波数予測値＝前回周波数（決定値）＋周波数変化
次に、次式によって推定現在周波数Ｆｎ０をＬＰＦ演算する。
現在周波数＝現在周波数予測値
＋ＬＰＦ係数×（周波数観測値−現在周波数予測値）
（周波数観測値＝追尾周波数）
【００２４】
このように、ＬＰＦ演算する前に現在周波数予測値を演算しているのは、次の理由による。すなわち、単にＬＰＦ演算したのみでは、図３（ａ）に示すように、ＬＰＦ時定数分だけ演算結果である現在周波数に遅れが生じるのに対して、予め周波数変化を加算することで、図３（ｂ）に示すように、現在周波数に遅れが生じないためである。
【００２５】
周波数予測演算器２３は、動作モードが追尾モードの時（信号が中断していない状態）では、周波数変化推定演算器２１からの周波数変化量Ｆｒ０および周波数推定演算器２２からの推定現在周波数Ｆｎ０を記憶する。一方、動作モードが再サーチモードの時（信号が中断された場合）には、記憶された周波数変化量Ｆｒ０および推定現在周波数Ｆｎ０に基づいて、中断時の周波数を予測する。すなわち、単位時間あたり周波数変化量Ｆｒ０だけ推定現在周波数Ｆｎ０を更新、積算して、予測周波数Ｆｐ０を演算する。これにより、信号が中断して周波数推定演算器２２による周波数推定が行われない場合でも、中断前（直前）の推定現在周波数Ｆｎ０および周波数変化量Ｆｒ０に基づいて、中断中の予測周波数Ｆｐ０が推定される。このような予測周波数Ｆｐ０は、信号中断中に図２に示すような加減速があった場合には、適正値とは言えない。しかしながら、本衛星信号受信機が搭載された移動端末などは、ほぼ等速運動している場合が殆どであるため、この予測周波数Ｆｐ０が、中断時の周波数として最も可能性が高い周波数であると言える。
【００２６】
周波数変換装置３１は、複数の周波数候補を発生可能な装置であり、動作モードが追尾モードの時には、周波数発生器３２からの基準周波数ｆ０に基づいて、複数の周波数ｆ１、ｆ２、・・・ｆｋを生成する。そして、生成された各周波数ｆ１、ｆ２、・・・ｆｋと衛星信号とは、２信号の乗算器７１−１、７１−２、・・・７１−ｋで乗算・相関される。一方、動作モードが再サーチモードの時には、基準周波数ｆ０をそのまま出力する。
【００２７】
周波数発生器３２は、周波数変換装置３１に対して基準周波数ｆ０を出力するものである。具体的には、動作モードが再サーチモードの時（ＣＰＵ６で複数のコード位相を発生させることが選択された場合）には、周波数予測演算器２３による予測周波数Ｆｐ０を基準周波数ｆ０として出力する。一方、動作モードが追尾モードの時（ＣＰＵ６で複数の周波数を発生させることが選択された場合）、追尾周波数Ｆ０を基準周波数ｆ０として出力する。
【００２８】
衛星信号発生器４は、複数のコード位相候補を発生可能な機器であり、動作モードが追尾モードの時には、ＣＰＵ６からの追尾コード位相Ｃ０をそのまま出力する。一方、動作モードが再サーチモードの時には、後述するＣＰＵ６からの指示により、ＣＰＵ６からの追尾コード位相Ｃ０に基づいて、複数のコード位相候補Ｃ１、Ｃ２、・・・Ｃｋを生成する。具体的には、中断前のコードチップに、中断前のコード周波数分の時間補正を行った値などである、コードチップ予測値がＣＰＵ６から送られ、このコードチップ予測値の近傍の数チップが同時にサーチできるように、コード位相候補Ｃ１、Ｃ２、・・・Ｃｋを決定して出力する。そして、生成された各コード位相候補Ｃ１、Ｃ２、・・・Ｃｋと、各乗算器７１−１、７１−２、・・・７１−ｋによる演算結果とは、２信号の乗算器７２−１、７２−２、・・・７２−ｋで乗算・相関される。
【００２９】
２０ｍｓ相関演算器５１とＭ回ＮＣ加算器５２とは、周波数変換装置３１による周波数信号と衛星信号発生器４によるコード位相との相関を、相関時間を長くして高感度に行う相関器・演算器である。すなわち、相関を高感度に行うためには、相関時間を長くする必要があり、２０ｍｓ相関演算器５１では、コヒーレント時間を長くするために、ＧＰＳの信号仕様の都合上最長である２０ｍｓをコヒーレント時間として、コヒーレント加算を行う。つまり、Ｉ（搬送波正位相）相関信号とＱ（搬送波９０°移相）相関信号とを、それぞれそのまま加算する。また、Ｍ回ＮＣ加算器５２では、ノンコヒーレント回数を増やすために、できるだけ多数であるＭ回のノンコヒーレント加算（信号パワーＰ＝Ｉ×Ｉ＋Ｑ×Ｑの累積加算）を行う。
【００３０】
ＣＰＵ６は、後述するようにして追尾および再サーチを行うとともに、周波数変換装置３１で複数の周波数を発生させるか、衛星信号発生器４で複数のコード位相を発生させるかを選択する。すなわち、追尾時には、周波数変換装置３１から複数の周波数ｆ１、ｆ２、・・・ｆｋを生成させ、衛星信号発生器４からは追尾コード位相Ｃ０のみを出力させる。一方、再サーチ時には、周波数変換装置３１からは基準周波数ｆ０をそのまま出力させ、衛星信号発生器４から複数のコード位相候補Ｃ１、Ｃ２、・・・Ｃｋを生成させる。
【００３１】
同様に、ＣＰＵ６は、追尾時と再サーチ時との切り替え時に、周波数予測演算器２３および周波数発生器３２に対して動作モードの変更指示を送る。これにより、後述するように、周波数予測演算器２３において周波数変化量Ｆｒ０等の記憶や予測周波数Ｆｐ０の演算が行われ、周波数発生器３２において出力する基準周波数ｆ０の変更が行われる。
【００３２】
次に、このような構成の衛星信号受信機の作用などについて説明する。
【００３３】
まず、信号レベルが所定値以上である追尾時には、各高感度サーチ追尾部１に対してＣＰＵ６は、動作モードを追尾モードに設定する。これにより、周波数予測演算器２３において上記の周波数変化量Ｆｒ０および推定現在周波数Ｆｎ０が記憶され、周波数発生器３２から周波数変換装置３１に追尾周波数Ｆ０が基準周波数ｆ０として出力される。同時に、周波数変換装置３１から複数の周波数ｆ１、ｆ２、・・・ｆｋが生成されるとともに、衛星信号発生器４から追尾コード位相Ｃ０が出力される。そして、各高感度サーチ追尾部１において、従来の高感度周波数誤差測定部（図５）と同様な動作により、信号追尾が行われる。
【００３４】
次に、信号レベルが所定値未満である場合、各高感度サーチ追尾部１に対して、ＣＰＵ６は、動作モードを再サーチモードに設定する。これにより、周波数予測演算器２３において、上記のようにして、最も可能性が高い予測周波数Ｆｐ０が演算され、これを受けて、周波数発生器３２から周波数変換装置３１に予測周波数Ｆｐ０が基準周波数ｆ０として出力される。同時に、衛星信号発生器４から複数のコード位相候補Ｃ１、Ｃ２、・・・Ｃｋが生成されるとともに、周波数変換装置３１からは、基準周波数ｆ０（予測周波数Ｆｐ０）が出力される。
【００３５】
そして、各２０ｍｓ相関演算器５１およびＭ回ＮＣ加算器５２において、各コード位相候補Ｃ１、Ｃ２、・・・Ｃｋに対する相関が高感度に行われ、ＣＰＵ６において、これらの演算結果をパワー順に並べて、最も高いパワーから候補を選別・抽出することで、信号が再捕捉される。
【００３６】
以上のように、この衛星信号受信機によれば、最も可能性が高い予測周波数Ｆｐ０に基づいて、複数のコード位相候補Ｃ１、Ｃ２、・・・Ｃｋを同時に並行サーチし、しかも、２０ｍｓ相関演算器５１およびＭ回ＮＣ加算器５２において高感度な相関が行われる。このため、信号レベルが極めて弱い衛星信号の再補足を、極めて効果的に行うことが可能となる。すなわち、高感度化のためには、上記のように２０ｍｓ相関演算器５１が必要であるが、コヒーレント加算のため、周波数ずれの影響を受けやすく、周波数のずれがあると、ＳＮ比が劣化して再サーチ性能が劣ってしまう。このため、周波数変化推定演算器２１、周波数推定演算器２２および周波数予測演算器２３によって、最も可能性が高い予測周波数Ｆｐ０を演算し、この予測周波数Ｆｐ０に基づいて並行サーチすることで、信号レベルが極めて弱い衛星信号を再補足することが可能となる。
【００３７】
また、上記のように、予測周波数Ｆｐ０の推定精度が高いため、数十秒以上の長い信号中断時であっても、信号レベルが極めて弱い衛星信号を極めて効果的に再補足することが可能となる。しかも、このような高感度サーチ追尾部１を全衛星数分備えるため、すべての衛星に対して短時間に再補足を行うことが可能となる。すなわち、従来のようにサーチ回路を１回路しか備えない場合、信号レベルが極めて弱い衛星が複数存在すると、全衛星のサーチに長時間を要するのに対して、全追尾チャンネルで同時にサーチすることで、全衛星を短時間にサーチすることができる。さらに、従来の高感度周波数誤差測定部の一部を拡張するのみで、高感度サーチ追尾部１を構築することができるため、ハードウエアの増加を最小限に抑えながら、サーチ時にも高感度周波数誤差測定部を有効的に活用することができる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、高感度サーチ追尾部１を全衛星数分備えているが、衛星信号受信機の可型化などのために、全衛星数よりも少ない数だけ高感度サーチ追尾部１を備えてもよい。例えば、可視衛星が８つで、３つの衛星の信号レベルが強く、残りの５つの衛星の信号レベルが弱い場合には、５チャンネル分の高感度サーチ追尾部１を備えればよい。また、測位していない場合、エフェメリスデータが得られていない場合などを考慮して、追尾周波数に基づいて周波数予測を行っているが、測位部によってより正確な予測周波数が得られている場合には、この周波数および周波数変化を用いてもよい。
【産業上の利用可能性】
【００３９】
以上では、ＧＰＳを例として説明しているが、この発明は、測位システムＧＮＳＳ（Ｇｌｏｂａｌ  Ｎａｖｉｇａｔｉｏｎ  Ｓａｔｅｌｌｉｔｅ  Ｓｙｓｔｅｍ）全般に適用することができる。
【符号の説明】
【００４０】
１          高感度サーチ追尾部
２１        周波数変化推定演算器（周波数変化演算器）
２２        周波数推定演算器
２３        周波数予測演算器
３１        周波数変換装置
３２        周波数発生器
４          衛星信号発生器
５１        ２０ｍｓ相関演算器（相関器）
５２        Ｍ回ＮＣ加算器（相関器）
６          ＣＰＵ（選択手段）
７１、７２  ２信号の乗算器
Ｆｎ０      推定現在周波数
Ｆｒ０      周波数変化量
Ｆｐ０      予測周波数
Ｆ０        追尾周波数
ｆ０        基準周波数
Ｃ０        追尾コード位相
ｆ１、ｆ２、・・・ｆｋ    周波数候補
Ｃ１、Ｃ２、・・・Ｃｋ    コード位相候補
【図１】
0005679170.tif 000002
【図２】
0005679170.tif 000003
【図３】
0005679170.tif 000004
【図４】
0005679170.tif 000005
【図５】
0005679170.tif 000006
【図６】
0005679170.tif 000007